(57)【特許請求の範囲】
【請求項１】
自動車のドア（２）用のドア結合具であって、ドア（２）は、４ジョイントメカニズムによって、旋回運動と組合わさった横方向の動きによってドア柱（３）に対して変位可能であり、４ジョイントメカニズムは、ドア（２）に関節式におよびドア柱（３）に関節式に接続された支持アーム（４）と、ドア（２）に関節式におよびドア柱（３）に関節式に接続された制御ロッド（５）とを有し、支持アーム（４）は、その両端領域の各々に割当てられた２つの関節部（７ａ，７ｂ，１４ａ，１４ｂ）でドアおよび柱に対して関節式に固定され、制御ロッド（５）は単一部品設計であって、ドアまたは柱に関して支持プレート（９）に結合され、この支持プレートには支持アーム（４）の対応する関節部（７ａ）も結合され、制御ロッド（５）は支持プレート側から遠方の端でヒンジ部分（１９）に結合され、
制御ロッド（５）が結合されるヒンジ部分（１９）は、支持アーム（４）の関節部（１４ａ）に対応するヒンジ部分（１２）に対して、制御ロッド（５）とともにそのロッドの長手方向に変位可能であることを特徴とする、ドア結合具。
【請求項２】
制御ロッド（５）の遠端に配置されるヒンジ部分（１９）は、その２つの部分の少なくとも１方に形成されるスロット（２０）によって、支持アーム（４）の対応するヒンジ部分（１２）に対して変位可能であることを特徴とする、請求項１に記載のドア結合具。
【請求項３】
互いに関して変位可能なヒンジ部分（１２，１９）は、ねじによってドア（２）に固定可能であり、それらドアヒンジ部分（１２，１９）の少なくとも１にはねじを受けるための孔（１５，２０）が自動車のｘ軸の方向のスロット（２０）として設けられていることを特徴とする、請求項１または２に記載のドア結合具。
【請求項４】
支持アーム（４）は、ベース支持アーム（４ａ）と、前記ベース支持アームから取外し可能な少なくとも１つの支持アーム部分（４ｂ）とを有しかつ、支持アーム（４）の一方端に設けられた２つの関節部（１４ａ，１４ｂ）と、ベース支持アーム（４ａ）および支持アーム部分（４ｂ）の相互固定のための手段（１６，１７）とを含み、ベース支持アーム（４ａ）および支持アーム部分（４ｂ）の接平面（１１）を通過する軸（１６ａ）は、接平面（１１）に対して垂直のピボット軸（１６ａ）の周りの相互の捩じりにより、ベース支持アーム（４ａ）に対する支持アーム部分（４ｂ）の調節を許すことを特徴とする、請求項１から３のいずれかに記載のドア結合具。
【請求項５】
ピボット軸（１６ａ）は支持アーム部分（４ａ）の関節部（１４ａ、１４ｂ）の間に配置され、ピボット軸（１６ａ）から或る距離において少なくとも１つの固定および／またはガイドの要素（１７）がベース支持アーム（４ａ）および支持アーム部分（４ｂ）の接平面（１１）を貫通することを特徴とする、請求項４に記載のドア結合具。
【請求項６】
固定および／またはガイドの要素は、ベース支持アーム（４ａ）または支持アーム部分（４ｂ）の一端側に、ピボット軸の周りの円形の弧に沿って形成されたスロット（１８）を含むとともに、ベース支持アーム（４ａ）および支持アーム部分（４ｂ）のそれぞれ他方部分の側の対応する円形の弧の上に配置される孔（１８）とを少なくとも含み、支持アーム部分（４ｂ）は、間隔をあけられた少なくとも２つの固定要素（１７）によって、一方ではピボット軸（１６ａ）の周りでおよび他方ではそれと距離をあけた円形の弧に沿って、ベース支持アーム（４ａ）に対して各回転位置で解放可能に固定可能であることを特徴とする、請求項５に記載のドア結合具。
【請求項７】
固定および／またはガイドの要素はねじ／ナット要素（１７）によって形成されていることを特徴とする、請求項５または６に記載のドア結合具。
【請求項８】
少なくとも１つの支持アーム部分（４ｂ）はドア（２）に面することを特徴とする、請求項４から７のいずれかに記載のドア結合具。
【請求項９】
接平面（１１）を通る軸（１６ａ）はねじ（１６）の軸であり、ピボット軸（１６ａ）と一致することを特徴とする、請求項４から８のいずれかに記載のドア結合具。
【請求項１０】
ドア（２）が閉止されている場合、ピボット軸（１６ａ）は本質的に水平方向にあってかつ自動車の移動の方向に平行にあることを特徴とする、請求項４から９のいずれかに記載のドア結合具。
【発明の詳細な説明】
【０００１】
この発明は、請求項１の前段部分による自動車のドア用のドア結合具に関する。ドアは、４ジョイントメカニズムにより、旋回運動と組合わさる横方向の動きによってドア柱に対して変位可能である。４ジョイントメカニズムは、ドアに関節式におよびドア柱に関節式に接続された支持アームと、ドアに関節式におよびドア柱に関節式に接続された制御ロッドとを有する。支持アームは、その両端領域の各々に割当てられた２つの関節部によってドアおよび柱に対して関節式に固定される。制御ロッドは単一部品設計のものであり、ドアまたは柱に対する支持プレートに結合される。この支持プレートには支持アームの対応の関節部も結合され、制御ロッドは、この支持プレート側から遠隔の端でヒンジ部分に結合される。
【０００２】
ＦＲ−Ｃ−８８０  １９７は、自動車のドアをそれぞれの車体部材に結合するための自動車のドアヒンジを記載している。ここで、４ジョイントメカニズムは、両端の一方で支持アームをおよび他方では制御ロッドを支持プレートにそれぞれ接続する。これらの支持プレートは、それぞれ自動車ドアおよび車体に取付けられる。この場合、制御ロッドおよび支持アームの相対的な位置を変えることによって自動車ドアヒンジの動きを制御すようなことは不可能である。
【０００３】
ＵＳ−Ａ−５，６３２，０６５が記載する自動車ドアヒンジでは、一方端で自動車のドアにおよび他方端で車体の柱に固定される装着部が、一方では支持アームを介しておよび他方では制御ロッドを介してともに互いと接続されて、それらが４ジョイントメカニズムを規定する。
【０００４】
ＵＳ−Ａ−３，２７５，３７０は、４ジョイントメカニズムによって自動車に結合されるドアを記載している。ここで、プレート状支持アームは、後方に配置されかつ、隅の領域に配置される４つの関節部を有する矩形の形に設計される。これらの関節部は、支持アームの各側において、垂直方向に対して傾いた軸を規定する。一方、ドアの前方領域の制御ロッドはドアの変位運動を制御する。公知のこのメカニズムの場合、前記関節部とともにジョイントの他の部分を規定するヒンジリーフは、ドアアセンブリ部分、すなわちドアおよびドア柱に固定され、装着および製造公差を修正する微調整の可能性は全くない。
【０００５】
ＵＳ−Ａ−３，０９５，６００は、４ジョイントメカニズムによって自動車に結合されるドアを記載している。ここで、それぞれ横方向にオフセットされたジョイントを有する上方および下方の支持アームと制御ロッドとが、回動可能な態様で車にドアを結合するように設けられる。この結合が不正確な場合、このタイプの結合は少なくともこわばった結合を生じる。すなわち、ドアの結合においては、その結合が或る範囲で機能するために可能な自由度の全てが求められるので、車体の対応する開口部におけるドアの寸法、製造および装着の公差で生じる非対称な構成を修正することができない。
【０００６】
ＥＰ−Ａ−０  ５９６  ４０３は、４ジョイントメカニズムによって自動車に結合されるドアを記載している。ここで、４ジョイントメカニズムは４ジョイントヒンジで形成される。４ジョイントヒンジにおいて、ドアおよび柱上のヒンジブラケットは各々が支持アームのジョイントおよび制御ロッドのジョイントへの結合を有する。支持アームは、ヒンジブラケット上に設けられた支持アームジョイントと整列するそれぞれのヒンジで規定されるジョイントをさらに有する。支持アームは、その関節部で囲まれた矩形部によって境界付けられる。ドアが調節可能であるように、制御ロッドは、孔を介して相互作用するねじボルトで相互に固定され得る２つの片側部分に分割されている。その結果、たとえば、支持アームの後方ジョイントは制御ロッドの前方ジョイントに対して異なる位置をとり、したがって垂直方向に関して車体のドア位置を変える理論的な可能性を有している。この場合、修正の選択肢は上方向と下方向の２つだけであり、車体の開口部におけるドアの寸法、製造および装着の公差によって生じる非対称な構成を十分正確に修正することができない。
【０００７】
ＵＳ−Ａ−４，６６５，５８６は、４ジョイントメカニズムによって自動車に結合されるドアを記載している。ここで、上方と下方の４ジョイントメカニズムの各々は制御ロッドおよび共通のプレート状支持アームから形成され、車体におけるドアの向きを修正する可能性は全く存在しない。
【０００８】
自動車のドアの装着の間に、ドアは、車体に関するその位置について、ｘ、ｙおよびｚ方向に調節されなければならない。この場合、ｘ方向は車の進行方向を意味し、ｙはｘを横切る水平方向を意味し、ｚはｘを横切る垂直方向を意味する。揺り戻しドアヒンジの場合、車体に対するドアの調節の間に、支持アーム上に嵌合される内側ドアモールディングの部分がダッシュボードなどに対して位置的に正しい態様で定位置に固定され得るように、内側ドアモールディング上のヒンジの支持アームの規定されたセッティングをも行なう必要がある。この調節の要件は、ヒンジへのドア骨組みの装着の際の調節の可能性を大きく減じてしまう。単一ヒンジ留めピボットヒンジの場合、ドア上およびドア柱上のねじ止め面の間の角度オフセットを補償するための調節は、ｙおよびｚの座標を定めることによって行なわれ得る。揺り戻しドアヒンジの場合、この調節可能性は、内側ドアモールディングに対する支持アームの調節の必要性によって使われてしまう。したがって、揺り戻しドアヒンジの場合、ｘ軸に関して回転させることによる調節がさらに必要である。さらに、公差のために、ドアを設置する際に必要となり得るのは、マルチジョイントドアヒンジの場合では、ヒンジおよびドアパネルのねじ止め面の間の角度オフセットを補償して位置決めされたドアをヒンジに固定することである。そのような補償は、ヒンジリーフを捩じることによってしか修正できない。この調節は、ドア上およびドア柱上の制御ロッドの結合軸間の距離を変更することによってしか行なえない。制御ロッドの長さを変更するための公知の解決策は、生産および装着のいずれにおいても非常に複雑である。
【０００９】
この発明の目的は、請求項１の前段部によるドア結合部を提供し、車体におけるドア位置が単純かつ効果的な態様で制御され得るようにすることである。
【００１０】
この目的は、制御ロッドが結合されるヒンジ部分が、支持アームの関節部に割当てられた対応のヒンジ部分に対して、制御ロッドとともにおよび制御ロッドの方向に変位可能であるという請求項１の特徴部分により、冒頭に述べられたドア結合具に対して達成される。
【００１１】
単一部品設計の制御ロッドが、ドアまたは柱に対する支持プレートに結合され、これに支持アームの対応する関節部、好ましくは下方関節部も結合される。支持アームのヒンジ部分および制御ロッドのヒンジ部分は、同じねじを用いてドアアセンブリ部分すなわちドアまたはドア柱に固定可能であり、この接続はしたがって同時に２つのドアヒンジの接続である。この結果、この手段によって規定される４ジョイントヒンジで、４ジョイントメカニズムが規定される。代替的に、支持アームのヒンジ部分に制御ロッドのヒンジ部分を固定し、２つのヒンジ部分のうち１つをドアアセンブリ部分、すなわちドアまたはドア柱に固定することが可能であり、同じ結果を伴う。なぜなら、２つのヒンジ部分を互いに固定することにより、制御ロッドおよび支持アームのジョイント軸が互いに対して規定され、それにより、規定された４ジョイントヒンジがこの手段によって形成されるからである。
【００１２】
この設計の特定の特徴は、２つのヒンジ部分をともに接続可能であることだけでなく、さらに、接続が制御ロッドの方向に変位可能であることである。この結果、２つのジョイント軸の互いに対する相対的な位置を変更することができる。ドアの閉止位置での２つのジョイント軸間の距離の変化の結果、前記ドアが本質的に垂直方向に走る軸のまわりを回動できるようになる。
【００１３】
好都合には飛躍的に可変の態様で起こる相互の変位の可能性を与えることにより、車体の対応する窪みの中の自動車ドアのオフセットの特に正確なかつ微妙な修正が可能である。この場合、２つのジョイント軸間の距離の増加または減少に応じて、自動車のドアは、制御ロッドが支持アームよりもさらに前方で係合するとすれば、その後方端縁の方向またはその前方端縁の方向に、本質的に垂直方向の軸のまわりを回動する。
【００１４】
２つのヒンジ部分の相対的な変位は、２つのヒンジ部分の少なくとも１つに形成される（ドアを閉めた状態で）本質的にｘ軸方向に走るスロットによって特に単純かつ好都合な態様で生じ得る。通常のねじ／ナットの組合せが前記スロットを貫通し、所望の位置に達するとこれらが締められて、最終的に２つのドアヒンジを定位置に固定する。ドアが嵌まると、事実上、自動的に中心にくる。
【００１５】
この発明に従うドア結合具は好ましくは、ベース支持アームと、前記ベース支持アームから取外し可能な少なくとも１つの支持アーム部分とに分割可能な支持アームを有しかつ、支持アームの一方側上に設けられた２つの関節部を含む。ベース支持アームおよび支持アーム部分は好都合には、互いに面しかつ接平面を規定する平坦な側を有する。接平面は、同時に、ストップの態様でベース支持アームに対する支持アーム部分の旋回運動をガイドする。ベース支持アームと支持アーム部分とは、好ましくはねじなどの相互固定具を用いてともに相互にクランプ止めされる。これらの手段は、接平面に対して垂直のピボット軸のまわりでの支持アーム部分およびベース支持アームの相互の捩じりを許すように、解放可能な設計のものである。ピボット軸は、ベース支持アームおよび支持アーム部分を通る軸によって規定される。前記軸は、場合によっては、ピボット軸と同じ向きを有しない。この場合、ピボット軸は、軸が通る場所により、接平面に対して垂直方向に規定される。したがって、たとえば、接平面の１つから突出するピンを１本だけ設けてピボット軸を規定することができる一方、ねじ接続などにより他の点での固定が与えられる。
【００１６】
この発明に従うドア結合具の１つの特定の利点は、支持アーム部分およびベース支持アームの互いに対する比較的小さな角度の旋回により、この目的のために形成された車体の中の窪み中のドア位置が、自動車の場合は移動の方向に対応するｘ軸に関して本質的に修正できるようになることである。これは、ドアの嵌合の際に、製造および設置公差を（この公差とは、車体に対する傾きまたは見た目に良くない非対称性をもたらすものである）、特に単純かつ効率的な態様で修正できるようにする。ドアの揺り戻し運動を規定する４ジョイントメカニズムの場合は特に、内側ドアモールディングに対する位置の決定に公知の調節法を用いてしまうため、ドアまたはドア柱上のヒンジ部分のストップ点での修正がより困難になっている。
【００１７】
これに対して、この発明に従うドア結合具は、好ましくは後方支持アーム部分の上にねじを設けることにより、既に固定されたドアの再調節を可能にする。前記ねじは、支持アーム部分をピボット軸に関して取外せるようにし、水平方向と本質的に平行な軸に関してドアの位置を修正する。
【００１８】
好都合には、ピボット軸を規定するための中心または偏心ねじだけでなく、ピボット軸からのこの距離に対応する半径の中のピボット軸のまわりの円形経路上で変位されるさらなる固定および／またはガイド要素も、ベース支持アームおよび支持アーム部分の接平面を貫通する。この目的のため、好ましくはねじとして設計される固定および／またはガイド要素は、２つの部分、すなわちベース支持アームおよび支持アーム部分のうち一方にねじ止めされる。一方、同様に僅かな垂直方向の遊びを有するスロットが２つの部分の他方に設けられ、ねじシャンクがスロット内で短い円形セグメントに対応して変位するのを可能にする。垂直方向の遊びを有するスロットの代替として、円形セグメントに対応するようにスロットを形作ることおよび円形セグメントに径方向に対応する遊びを減じることも可能である。この最後の変形例は、支持アーム部分の垂直方向の遊びによって、ベース支持アームが旋回の間に落下するのを効果的に防止するという利点を有する。
【００１９】
接平面は、広義で平面であると理解されたい。すなわち、接平面が表面と空間的に一致する必要はない。むしろ、接平面は複数のセクション、たとえば、ベース支持アームおよび支持アーム部分を固定するための手段が接平面を貫通するそのセクションに対して横方向にオフセットされる変位セクションを含むことができる。したがって、接平面は、たとえば、対称な設計の場合はたとえば旋回運動を容易に許すドーム形状を有し得る。さらに、接平面は、同様に旋回を許す、軸方向にオフセットされた円形セクションから形成され得る。
【００２０】
この発明に従う、４ジョイントメカニズムとしての構成の場合、支持アームは、特に、大きくおよびしたがって重いドアから、自動車と特にＡ柱の領域に配置されるそのドア柱とに、荷重を伝えるように本質的に働く。この目的のため、支持アームはプレート体の態様で形成される。その４つの角領域に、ドアおよび柱への結合のための関節部が形成される。支持アーム部分は好都合には、ドアに面する、ベース支持アームのその側上に取外し可能に固定される。なぜなら、それは、ベース支持アームに対する向きを調節するために、特に容易にそこでアクセス可能であるからである。しかしながら、その代替としてまたはそれに加えて、ドア柱に結合される、支持アームの前方側上に支持アーム部分を設けることも可能である。その結果、結果が同様かつほとんど変わらない態様で、車体の中に空けられた窪みの中のドアの向きに対して、ｘ軸のまわりの回転によって影響を与えることができる。しかしながら、原則的に、支持アームの２つの部分からなる設計のみを与えることで十分であろう。
【００２１】
留意すべきなのは、支持アーム部分（２つの支持アーム関節部がその上に一体として形成される）が、それらの整列および間隔取りという観点で、ストリップの態様で２つの関節部を接続し、こうして、一体型部分を形成する支持アーム部分ができて大量生産製品となり、したがって調節にかかる一切の費用なしに位置付け可能となることである。その結果、４ジョイントメカニズムを用いてすら、この発明に従うドア結合具は、ｘ軸に関するドア位置の（さもなければ存在しない）調節性を得る。
【００２２】
支持アームの２部分または多数部分からなる設計の大きな利点は、ベース支持アームを突出した形態から作製するという、より経済的な可能性にも存在する。ここで、関節部を支える関節部部分間の領域は、独立した支持アーム部分として作製された費用のかかる材料の無駄使いとして得られるわけではない。さらに、ベース支持アームを押出しによって費用効率よく作製可能である。その結果、関節部部分を露出するためのさらなる機械的処理がさらに施される。
【００２３】
この発明のさらなる利点および特徴は、従属する請求項および以下の説明から明らかになる。
【００２４】
この発明は、添付の図面を参照して例示的な実施例を用いて、以下により詳細に説明される。
【００２５】
【詳細な説明】
図１は、符合１で示されかつ、１点鎖線で示されるドア２を、同様に１点鎖線で示されるドア柱３の上に回動可能に配置するドア結合具を斜視図で示す。ドア結合具１は４ジョイントメカニズムとされ、そのバーは、一方では支持アーム４であり、他方では制御ロッド５である。支持アーム４および制御ロッド５は、一方ではドア柱３におよび他方ではドア２に、対応するヒンジ部分によって関節式に結合される。
【００２６】
支持アーム４はプレート状の設計であり、その内側に中空の空間６を規定する。その中に、中空空間を多数のチャンバに分割するリブなどを設けて、剛性を増すことができる。空洞６は好都合には上下に開き、それにより支持アーム４の内側領域へのアクセスを開放するように設計される。その角領域において、支持アーム４は、各々の場合に、２つのドア柱関節部７ａ、７ｂおよび２つのドア関節部１４ａ、１４ｂを有する。前記関節部は、対応してドア柱３およびドア２に固定されたヒンジ部分への結合を意図される。関節部は、支持アーム４の外側角の近傍に設けられ、支持アーム４は本質的に垂直方向に配された平面を走る。
【００２７】
ドア柱関節部７ａおよび７ｂはそれぞれ、ドア柱３に面する支持アーム４の狭い側のその角の下方領域および上方領域に形成される。関節部７ｂは公知の態様でヒンジ部分８に結合され、関節部７ａは公知の態様でヒンジ部分９に結合される。ヒンジ部分８、９は、この目的のためにヒンジ部分８および９に設けられた孔１０およびねじ接続を用いて公知の態様でドア柱３に固定される。制御ロッド５のドア柱端もヒンジ部分９に結合されるため、ヒンジ部分９は互いに一定距離を有する２つのジョイントを有する。
【００２８】
支持アーム４は、ベース支持アーム４ａおよび支持アーム部分４ｂに分割される。ベース支持アーム４ａおよび支持アーム部分４ｂは、共通の接平面１１に沿って互いと当接し、互いに対して保持される。ベース支持アーム４ａは、関節部７ａ、７ｂを支える関節部部分と一体型の設計であり、一方、支持アーム部分４ｂはそれ自体が関節部部分に接続する。その上に、ドア２に固定されたヒンジ部分１２、１３への結合を規定する関節部１４ａ、１４ｂが、狭い設計のストリップによってそれらの間に配置される。ヒンジ部分１２、１３は、２つのウィングと、それらのウィングを貫通する孔１５とを有するように設計される。それらの孔を用いて、ヒンジ部分を、たとえば中ぐりされたスペーサの形の中間要素を介してまたは直接的に、ドア２に接続することができる。
【００２９】
図２および図３によりよく見られるように、中実のおよび穴あきの面であり得る接平面１１には、ベース支持アーム４ａおよび支持アーム部分４ｂの対応する孔に設けられるねじ１６が貫通しかつ、接平面１１は、支持アーム４の外側上にアクセス可能に配置されるとともに、中空空間６の中でアクセス可能なナットでしっかりと固定される。代替として、たとえば、ねじ山付きのねじのヘッドから遠い方に孔を設けることも可能である。
【００３０】
ねじ１６は接平面１１に対して垂直方向に走り、ねじ軸１６ａは接平面１１に対して本質的に垂直方向に走ることがわかる。したがって、接平面１１の領域において２つの部分４ａ、４ｂを定位置に固定するために設けられたねじ１７ａ、１７ｂを解放することにより、支持アーム部分４ｂとベース支持アーム４ａとの間の、旋回を許す空隙が解放されると、ねじ軸１６ａは、ベース支持アーム４ａ付近の支持アーム部分４ｂのねじ１６のシャンクのまわりの回転軸と一致する。この接続において、ねじ１７ａ、ｂは固定要素だけでなく、ガイド要素も形成する。ガイド要素は、支持アーム部分４ｂに面するベース支持アーム４ａのその端面に、スロット１８として設計されかつカム経路に対応する孔を用いてカムの態様で規定される。理解すべきなのは、支持アーム部分４ｂのためのストップを同時に規定するベース支持アーム４ａのその端面が、スロット１８が形成されるこれらの領域中の平坦な壁セクションとして少なくとも形成されることである。ねじ１７が貫通しないベース支持アーム４ａの端面のそれらの領域の端壁は、必ずしもベース支持アームの材料で閉止される必要はない。
【００３１】
ねじが傾斜を利用して接平面１１に対して垂直に走らない場合または接平面１１が２次元の面を形成しない場合ですら、ピボット軸１６ａは境界面１１に対して垂直方向にあることがわかる。したがって、ねじ１６の代わりに、一方部分の境界面１１から突出しかつ他方部分の対応する孔を通るぴったりと嵌合するシャンクを形成することが可能である。この場合、シャンク軸は、接平面の垂直方向と必ずしも一致する必要はない。ねじ１６は、ねじ１７ａ、１７ｂの間の中央に位置せず、むしろ、中央位置の近傍にそれが配置されても、中央位置に対して中心を外れて位置することがさらにわかる。これはある用途では有利である。ねじ１６の位置は（その軸１６ａはこの場合ピボット軸を規定する）、ドア２の寸法に対して規定される。第１の方策でのねじ軸１６ａは、ほぼ、ドア２の水平方向の整列軸の高さで走る。その調節のために、以下に詳細に説明されるように、支持アーム部分４ｂおよびベース支持アーム４ａの相対的な調節性を有利に用いることができる。
【００３２】
特に図２からわかるのは、関節部１４ａ、１４ｂを支える支持アーム部分４ｂのそれらの関節部部分の対応するねじ山にねじ１７ａ、１７ｂを挿入し、代わりに、それらを関節部部分の外側のナットでしっかりと固定することも可能なことである。関節部部分の領域での接続により、ベース支持アーム４ａと支持アーム部分４ｂとの接続が特に強くなり得る。しかしながら、有利には、ねじ１７ａ、１７ｂをねじ１６により近づけ、それにより、軸１６ａのまわりにおいてねじ１６からの距離に対応しかつ円の半径を規定する円形セグメントに沿った旋回による変位量を減じることも可能である。
【００３３】
特に図３からわかるのは、スロット１８が、ねじ１７ａ、１７ｂのシャンク直径に対して細長い孔を構成するだけでなく、スロットの高さがシャンク直径に対して大きくされていることである。その結果、好都合には、ねじ１７ａ、１７ｂがスロット１８の中で回転運動を行なうことが可能である。前記運動は、三角法の規則性に従う２次元変位成分を含む。
【００３４】
制御ロッド５のドア端は、２ウィングヒンジ部分１９に結合される。これは、スロット付き孔２０を介してドア２に固定可能である。ヒンジ部分１２およびヒンジ部分１９は制御ロッド５の嵌合状態を規定し、支持アーム４は、スロット２０のスロット長軸方向への変位を可能にする。スロットを用いたヒンジ部分の固定が実際に確立されば、制御ロッド５の分割が不要になる。ねじまたはボルトのシャンクに関するヒンジ部分１２および１９の互いに対する相対的な変位により（シャンクは孔１５およびスロット付き孔２０を通り、孔１５はこの例示的な実施例では事実上遊びを有しない態様でねじを保持する）、制御ロッド５および支持アーム４のドアジョイント間の距離を限られた程度に調節することができ、それにより、ドア部分１３、１２、１９に固定される自動車のドア２の垂直方向軸に関する変位を可能にし、それにより車体のドア２の位置を修正することができる。
【００３５】
この発明に従うドア結合具１のこの例示的な実施例では、自動車のドア２の位置を調節するためには、結合具１の４ジョイントメカニズムが４ジョイントヒンジ９、５、４、１２／１９によって規定されかつそれ自体がそのような変更を許さなくても、有利には２自由度を用いてドア２の位置を修正することができる。前記ドアは、修正できなければ、機械加工および製造の公差のために中央に嵌合せず、したがって見た目によい態様でない。ねじ１６の軸１６ａのまわりを旋回することにより、ドア２を、自動車のｘ軸（移動の方向）に本質的に対応する軸に関して整列することができ、スロット２０に沿った変位により、自動車のドア２は、ｚ軸（垂直方向）のまわりで回動可能である。ここで考慮すべきなのは、ドア結合具１の特定の要件のために、支持アーム４および制御ロッド５のドアジョイントのジョイント軸および軸１６ａが、ドアが閉止された状態では自動車のｘ軸およびｚ軸と、理想的に典型的な態様で一致しないことである。その理由は、たとえば、旋回運動と組合わさる横方向の動きが空間の中で経路を作り出すことが意図されるからである。これらの場合ですら、ドアの位置の調節が可能である。なぜなら、２つの調節可能性により、反復した過程で、それらのドア位置が調節可能になるからである。ここで、対応する調節構成要素により、さらにｘ軸およびｙ軸に関して、ドア２の位置の最適な整列が可能になる。
【００３６】
例示的な実施例では、ヒンジ部分１２および１６は、各々の場合、ドアに固定されかつ共通のボルトが貫通するそれらの２つのヒンジリーフを介して互いに接続される。留意すべきなのは、たとえば、ヒンジ部分１９の左ヒンジウィングのみをヒンジ部分１２の左ヒンジウィングに接続し、および必要に応じて、ヒンジ部分１２またはヒンジ部分１９の２つの右ヒンジウィングのうち１つをドア２に接続することが容易に可能なことである。支持アーム４への接続は、静的な理由によって都合よく選択される。
【００３７】
この発明は、好ましい例示的な実施例を参照して上により詳細に説明されたが、真ん中で２つに分割されるまたは同様に３つの部分に分割されるような、分割された制御ロッド４のさらなる洗練例を実現して、車体の対応する窪み中のドア位置の調節性を向上させることができ、同時に、自動車のｘ軸のまわりを回動できる能力を備える。
【図面の簡単な説明】
【図１】  この発明に従うドア結合具の好ましい例示的な実施例の斜視図である。
【図２】  図１の結合具の支持アームのドア端の斜視図である。
【図３】  図２の線ＩＩＩ−ＩＩＩに沿った、支持アームを通る一部破断図である。
【図１】
0004603742.tif 000002
【図２】
0004603742.tif 000003
【図３】
0004603742.tif 000004